(57)【要約】【課題】第一に、まゆ毛など体毛の処理に際して、抜いた毛が散逸し易いという問題点。第二に、まゆ毛を抜く際に、ティッシュケースやゴミ箱を手元に持ってこなければならない不便が挙げられる。第三に、今まで抜いたまゆ毛を有効に捕集する道具がなく、なおかつそれが、毛抜きや鏡と一緒になったものがなかったという課題があった。【解決手段】抜いたまゆ毛などの体毛を散逸させず捕集させるために、粘着性の部材を用い、これと、毛抜きや鏡を一緒に携帯容器に収納した装粧品セットを用いることにより、細かいまゆ毛を鏡を見ながら抜き、抜いた毛をすぐさま粘着性の部材により付着させるといった行為が、それぞれの備品を、別々に用意することなく、最小限の物理的動作により済ますことが出来るという利点が得られる。眼の不自由な人でも、人目を気にせず外出先で、衛生的に体毛の処置・処理が出来、それを簡便に纏めて、人目に触れずに捨てることが出来る。【選択図】  図１
0003126718.tif 000002
【実用新案登録請求の範囲】
【請求項１】
抜いた体毛を捕集するための粘着性の部材を収納するスペースを有する携帯容器。
【請求項２】
体毛を抜くための毛抜きを収納するスペースを有することを特徴とする請求項１記載の携帯容器。
【請求項３】
鏡を収納するためのスペースを有することを特徴とする請求項２記載の携帯容器。
【請求項４】
請求項１記載の携帯容器に抜いた体毛を捕集するための粘着性の部材を収納した装粧品セット。
【請求項５】
請求項２記載の携帯容器に体毛を捕集するための粘着性の部材及び体毛を抜くための毛抜きを収納した装粧品セット。
【請求項６】
請求項３記載の携帯容器に体毛を捕集するための粘着性の部材、体毛を抜くための毛抜き、および鏡を収納した装粧品セット。
【請求項７】
抜いた体毛を捕集するための粘着性の部材が、粘着剤が塗布された表面と粘着剤が塗布されていない裏面を有するシートの表面と裏面を交互に積層したものであることを特徴とする請求項４、請求項５、または請求項６記載の装粧品セット。
【考案の詳細な説明】
【技術分野】
【０００１】
この考案は、自宅あるいはその他の場所においてなされる、まゆ毛などの体毛を抜くための道具や抜いた体毛を捕集するための部材を収納するためのスペースを有する携帯容器およびその携帯容器に必要な備品を装備した装粧品セットに関するものである。
【背景技術】
【０００２】
化粧行為の一環で、まゆ毛などの体毛を抜いて処理するという行為において、抜いた毛が散らばりその処理に不便を感じているという悩みを背景としている。
【０００３】
従来、服についた埃や理髪店でカットした毛髪を粘着性の部材を用いて捕集する道具は提案されていたが、抜いたまゆ毛などの体毛を粘着性の部材で捕集できる携帯可能な装粧品セットは存在せず、したがって従来の装粧用の携帯容器には、抜いたまゆ毛などの体毛を捕集するためのスペースや粘着部材を収納するスペースがなかった。
【特許文献１】公開実用新案平成１−９９３１４号公報
【特許文献２】登録実用新案公報3065576号
【考案の開示】
【考案が解決しようとする課題】
【０００４】
従来の装粧品セットにおいては、次のような問題があった。
【０００５】
まず、いずれの場所にかかわらず、まゆ毛などの体毛を毛抜きなどで処理する場合、ともすれば抜いた毛は散らばり易いという問題があった。
【０００６】
たとえば、抜いた毛を、ティッシュで処理しようとした場合、ティッシュケースからティッシュを取り出して、そこへ抜いた毛を入れて包むという行為が必要になる。
【０００７】
しかも、抜いたまゆ毛などの体毛をティッシュや紙に置いた場合でも、紙が軽いので、風で飛んだり、動き易く、不安定という要素があり、その散逸は免れない。
【０００８】
いずれにしても、紙等に抜いたまゆ毛などの体毛を置いた場合、抜いた毛が紙等に引っ付いて離れない訳ではないので、抜いた毛を纏まって処理することが難しい。
【０００９】
また上記の場合、外出先であれば、カバンあるいはポケットからティッシュを取り出す不便が生じ、その場所が屋内であったとしても、ティッシュケースを取りに行く、あるいは、ゴミ箱を手元に持って来て抜いた毛を処分しなければならない不便が残る。
【００１０】
また、そもそも外出先で、まゆ毛などの体毛を処理することは、毛抜きやティッシュなどを広げなければならず目立つ行為となり、抜いた毛も人目に触れるため、人目が気になり、なかなか出来るものではなかった。
【００１１】
また従来、携帯容器中に、装粧品などの実用品を収納した装粧品セットとしては、諸種のものが存在するが、従来のものは、ファンデーションなどの化粧品が収納されているに過ぎなかった。
【００１２】
また、毛抜きについても、小さい部材ゆえに、容器に収納していないと紛失してしまうことがしばしばであった。
【課題を解決するための手段】
【００１３】
上記の課題を解決するために本考案の請求項１の携帯容器は、抜いた体毛を捕集するための粘着性の部材を収納するスペースを有する。
【００１４】
本考案の請求項２の携帯容器は、抜いた体毛を捕集するための粘着性の部材を収納するスペースに加えて、体毛を抜くための毛抜きを収納するスペースをも有する。
【００１５】
本考案の請求項３の携帯容器は、抜いた体毛を捕集するための粘着性の部材を収納するスペース、および体毛を抜くための毛抜きを収納するスペースに加えて、鏡を収納するためのスペースをも有する。
【００１６】
本考案の請求項４の装粧品セットには、抜いた体毛を捕集するための粘着性の部材が請求項１の携帯容器に収納してある。
【００１７】
本考案の請求項５の装粧品セットには、抜いた体毛を捕集するための粘着性の部材と体毛を抜くための毛抜きが請求項２の携帯容器に収納してある。
【００１８】
本考案の請求項６の装粧品セットには、抜いた体毛を捕集するための粘着性の部材と体毛を抜くための毛抜きに加えて、鏡をも請求項３の携帯容器に収納してある。
さらに、本考案の請求項７の装粧品セットには、抜いた体毛を捕集するための粘着性の部材として、粘着剤が塗布された表面及び粘着剤が塗布されていない裏面を有するシートの表面と裏面を交互に積層したものが収納してある。
【考案の効果】
【００１９】
毛抜きと粘着剤が塗布された部材を一緒に携帯容器に収納することにより、ティッシュケースを探し、ティッシュを取り出すあるいは、毛抜きを探す、ゴミ箱を取りに行くという面倒な物理的動作も省くことが出来る。
【００２０】
外出先であっても、粘着性の部材に付着させたまゆ毛などの体毛は、帰ってから処分することが出来、捨て場所に困ることもなく、外で処分する場合でも、粘着性があるために毛の付着した面を谷折りにし、くっ付けて捨てることで、抜いた毛が人目に触れることもない。
【００２１】
例えば、携帯容器が本体と蓋体とを枢着して開閉自在な構成となって、そのなかにまゆ毛などの体毛を処理する部材を収納するスペースを有することによって、それらの道具を紛失することなく、また、すべての動作がその携帯容器のうちに済ませることが出来るという利点が得られる。
【００２２】
また、片面のみに粘着剤が塗布されたシートを交互に積層した粘着部材を用いることにより、まゆ毛などの体毛を容易に粘着面に付着させて捕集することが出来き、また一枚ずつシートをめくって廃棄することができる。
【００２３】
また、その粘着性の部材が、例えば上方に開放される蓋を有する携帯容器に収納されることにより、容器を手の上にのせ、蓋を開け、まゆ毛などの体毛を抜き、処理する際の簡便さが得られる。
【００２４】
さらに、その携帯容器に、毛抜きをも収納することで便利さを増すことが出来る。
【００２５】
またさらに、その携帯容器に、鏡を装着することによって、その装粧品セットを携行するだけで、まゆ毛などの体毛の処理のすべてが、手の上において、簡易に完結させることが出来る。
【００２６】
また、粘着性の部材を容易に補充可能なものとすることで、より便利なものとすることが出来る。
【００２７】
またそれを、携帯容器に収容することにより、場所を選ばず、たとえ外出先であっても人目を気にせずまゆ毛などの体毛の処理が出来る。
【００２８】
さらにこの携帯容器に鏡を装着することにより、細かい目に見えにくい部分を、近眼や老眼などの目の不自由な人が、眼鏡やコンタクトをしていない場合でも、容器に眼を近づけて、鏡を見ながら、まゆ毛などの体毛を処理することが出来る。
【００２９】
また、まゆ毛を抜いて処理するまでの動作において、装粧品セットを取り出し、毛抜きを手に取り、鏡を見ながら、まゆ毛を抜き、抜いたまゆ毛の一本一本を粘着性の部材にくっ付けて捕集するという行為を、必要最小限の物理的動作で済ませることが出来るという利点が得られる。
【００３０】
上記の各部材を、一つの携帯容器に同梱することにより、それぞれの部材を紛失することなく保管することが出来る。
【考案を実施するための最良の形態】
【００３１】
以下、本考案の実施例について図面を参照して説明する。
【実施例１】
【００３２】
図1は、本考案に係る携帯容器の実施例１を示す斜視図である。
図１において、１は、プラスチックで形成され、左右もしくは上下に開閉可能なコンパクト状の容器の本体である。
【００３３】
２は、プラスチックで形成され、左右もしくは上下に開閉可能なコンパクト状の容器の蓋体である。
【００３４】
３は、容器本体に、表面（上部）に粘着剤の塗布されたシートを積層した部材を交換可能な状態で、表面が上方に開放された形で収納出来るスペースを空けている。
【００３５】
４は、容器本体の毛抜きを収納するスペースである。
【００３６】
５は、容器蓋体の鏡を収納するスペースである。
【００３７】
６は、３の部分に装着することの出来る粘着剤が塗布されたシート状の部材であり、表面（上部）が、上方に開放されていて、開放された部分に広く粘着剤が塗布され、お互いを結着させる働きを持ち、一部非塗布面があることにより、めくり易くなっていて、両面テープのような部材を、束ねられたシート状の部材の最下部あるいは、３の、この部材を受ける底の部分に使用、あるいは金具などで固定し、粘着性の部材が容器から落ちることを防ぐことも出来る。
【００３８】
７は、容器下部に収納することの出来る毛抜きである。
【００３９】
８は、容器上部に収納することの出来る鏡である。
【００４０】
このように構成された本考案は、上述した実施例に限定されるものではなく、その要旨の範囲内で種々の変形実施が可能である。
【００４１】
例えば、本体１と蓋体２の形状が図１に示すようなものに限定されないことはもちろん、本体１と蓋体２の留め具も前記したような構成に限定されるものではない。
【００４２】
またあるいは、本考案の携帯容器への被収納物として、粘着剤を塗布されたシート状の部材、毛抜きあるいは鏡以外に、必要に応じて例えば、リップスティックやビューラー、アイシャドーなどの化粧用品や例えば、はさみ、くし、ブラシ、ティッシュなどの化粧用品以外のものをも収納することが可能である。
【００４３】
このように、当該各装粧品を簡易に取り出せるように構成しているので、本考案の装粧品セットは、まゆ毛などの体毛の処理のような身だしなみを整えるためのものとして使用出来ることはもちろん、各装粧品を簡易にファッションとしてあるいはそれ以外の使い道にも流用出来、このセット自体をコンパクトに携帯等して常時至便に実用に供することが出来る。
【図面の簡単な説明】
【００４４】
【図１】本考案に係る容器の実施例１を示す斜視図。
【符号の説明】
【００４５】
１  容器本体
２  容器蓋体
３  粘着性の部材を収納するスペース
４  毛抜きを収納するスペース
５  鏡を収納するスペース
６  粘着性のある部材
７  毛抜き
８  鏡
【図１】
0003126718.tif 000003